(57)【要約】【課題】広告のデータを着信側携帯端末に配信することによる広告効果を増大できるコマーシャルメッセージ音配信システムを提供する。【解決手段】ＣＭ音配信サーバ１が、着信側携帯端末２へ配信するＣＭ音の分類識別情報を、着信側携帯端末２より受け付けて当該着信側携帯端末２の着信側携帯端末ＩＤに対応付けて登録する。またＣＭ音配信サーバ１は、着信側携帯端末２への発信側携帯端末４からの発信呼信号の検出に基づいて、着信側携帯端末２のＩＤに対応付けられて登録されている分類識別番号を取得し、当該分類識別番号で示される分類に属する１つまたは複数のＣＭ音から、１つのＣＭ音を選択する。そして、ＣＭ音配信サーバ１は、発信側携帯端末４から発信された発信呼信号に、選択したＣＭ音の番号を付加して着信側携帯端末２へ送信し、その着信側携帯端末２から受信したＣＭ音の番号によって特定できるＣＭ音を配信する。【選択図】図１
2014171267.tif 000002
【特許請求の範囲】
【請求項１】
コマーシャルメッセージ音配信サーバが、
着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録する配信コマーシャルメッセージ音登録部と、
前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択するコマーシャルメッセージ音選択部と、
前記発信側携帯端末から発信された発信呼信号に、前記選択したコマーシャルメッセージ音の識別情報を付加して前記着信側携帯端末へ送信する呼制御部と、
前記着信側携帯端末から受信したコマーシャルメッセージ音の識別情報によって特定できるコマーシャルメッセージ音を配信するコマーシャルメッセージ音配信部と、を備え、
前記着信側携帯端末が、
前記発信側携帯端末からの前記発信呼信号に前記コマーシャルメッセージ音の識別情報が付加されているかを判定するコマーシャルメッセージ音付加有無判定部と、
前記発信呼信号に前記コマーシャルメッセージ音の識別情報が付加されていると判定された場合に、前記コマーシャルメッセージ音の識別情報を含むコマーシャルメッセージ音配信要求を送信するコマーシャルメッセージ音配信要求部と、
前記コマーシャルメッセージ音配信要求の送信に応じて、前記コマーシャルメッセージ音配信サーバから受信したコマーシャルメッセージ音を鳴動させるコマーシャルメッセージ音鳴動部と、
を備えることを特徴とするコマーシャルメッセージ音配信システム。
【請求項２】
前記着信側携帯端末が、
前記コマーシャルメッセージ音の分類識別情報の登録を受け付ける分類識別情報登録受付部と、
前記登録を受け付けたコマーシャルメッセージ音の分類識別情報を登録する登録要求を前記コマーシャルメッセージ音配信サーバへ送信する登録要求送信部と、
を備えることを特徴とする請求項１に記載のコマーシャルメッセージ音配信システム。
【請求項３】
前記コマーシャルメッセージ音配信サーバが、
前記着信側携帯端末へ前記発信呼信号に付加して送信した前記コマーシャルメッセージ音の識別情報を格納した広告宣伝費計算要求を、前記コマーシャルメッセージ音の前記着信側携帯端末への送信に応じた広告宣伝費を計算する広告宣伝費計算サーバへ送信する広告宣伝費計算要求部と、
を備えることを特徴とする請求項１または請求項２に記載のコマーシャルメッセージ音配信システム。
【請求項４】
前記着信側携帯端末が、
前記コマーシャルメッセージ音の鳴動処理有無の登録を受け付ける鳴動有無登録受付部と、
前記鳴動有無の登録において、鳴動処理無しと登録された場合には、前記コマーシャルメッセージ音の鳴動の実行を中止する鳴動中止部と、
を備えることを特徴とする請求項１から請求項３の何れかに記載のコマーシャルメッセージ音配信システム。
【請求項５】
着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録する配信コマーシャルメッセージ音登録部と、
前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択するコマーシャルメッセージ音選択部と、
前記発信側携帯端末から発信された発信呼信号に、前記選択したコマーシャルメッセージ音の識別情報を付加して前記着信側携帯端末へ送信する呼制御部と、
前記着信側携帯端末から受信したコマーシャルメッセージ音の識別情報によって特定できるコマーシャルメッセージ音を配信するコマーシャルメッセージ音配信部と、
を備えることを特徴とするコマーシャルメッセージ音配信サーバ。
【請求項６】
コマーシャルメッセージ音配信サーバの配信コマーシャルメッセージ音登録部が、着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録し、
前記コマーシャルメッセージ音配信サーバのコマーシャルメッセージ音選択部が、前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択し、
前記コマーシャルメッセージ音配信サーバの呼制御部が、前記発信側携帯端末から発信された発信呼信号に、前記選択したコマーシャルメッセージ音の識別情報を付加して前記着信側携帯端末へ送信し、
前記着信側携帯端末のコマーシャルメッセージ音付加有無判定部が、前記発信側携帯端末からの前記発信呼信号に前記コマーシャルメッセージ音の識別情報が付加されているかを判定し、
前記着信側携帯端末のコマーシャルメッセージ音配信要求部が、前記発信呼信号に前記コマーシャルメッセージ音の識別情報が付加されていると判定された場合に、前記コマーシャルメッセージ音の識別情報を含むコマーシャルメッセージ音配信要求を送信し、
前記コマーシャルメッセージ音配信サーバのコマーシャルメッセージ音配信部が、前記着信側携帯端末から受信したコマーシャルメッセージ音の識別情報によって特定できるコマーシャルメッセージ音を配信し、
前記着信側携帯端末のコマーシャルメッセージ音鳴動部が、前記コマーシャルメッセージ音配信要求の送信に応じて、前記コマーシャルメッセージ音配信サーバから受信したコマーシャルメッセージ音を鳴動させる
ことを特徴とするコマーシャルメッセージ音配信方法。
【請求項７】
コマーシャルメッセージ音配信サーバのコマーシャルメッセージ音配信方法であって、
配信コマーシャルメッセージ音登録部が、着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録し、
コマーシャルメッセージ音選択部が、前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択し、
呼制御部が、前記発信側携帯端末から発信された発信呼信号に、前記選択したコマーシャルメッセージ音の識別情報を付加して前記着信側携帯端末へ送信し、
コマーシャルメッセージ音配信部が、前記着信側携帯端末から受信したコマーシャルメッセージ音の識別情報によって特定できるコマーシャルメッセージ音を配信する
ことを特徴とするコマーシャルメッセージ音配信方法。
【請求項８】
コマーシャルメッセージ音配信サーバのコンピュータを、
着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録する配信コマーシャルメッセージ音登録手段、
前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択するコマーシャルメッセージ音選択手段、
前記発信側携帯端末から発信された発信呼信号に、前記選択したコマーシャルメッセージ音の識別情報を付加して前記着信側携帯端末へ送信する呼制御手段、
前記着信側携帯端末から受信したコマーシャルメッセージ音の識別情報によって特定できるコマーシャルメッセージ音を配信するコマーシャルメッセージ音配信手段、
として機能させることを特徴とするプログラム。
【発明の詳細な説明】
【技術分野】
【０００１】
本発明は、携帯端末が着信時に鳴動させる着信音のデータを配信するコマーシャルメッセージ音配信システム、コマーシャルメッセージ音配信サーバ、コマーシャルメッセージ音配信方法、ならびにプログラムに関する。
【背景技術】
【０００２】
着信側携帯端末における呼信号の着呼時に、ユーザ所望のメロディや歌をスピーカから出力したり、動画像を表示画面に出力したりするサービスを提供するシステムが存在する。このようなサービスを提供するシステムでは、着信側携帯端末にメロディや歌などの着信音データや、動画像などの画像データを格納しておき、着信を受けるユーザが予め選択設定しておくことにより、着信時にそれら選択されたデータを再生出力するものである。
ここで、このようなサービスは、基本的には着信側携帯端末のユーザが聞きたい音に対応する着信音データや動画像データを自分で選択して、それらデータの出力による音や動画を楽しむためのものであるので、当該サービスの利用は有料となっていることが多い。他に、着信側携帯端末のユーザの選択した音を、発信側携帯端末のスピーカに出力して、呼び出し中に発信側携帯端末のユーザに音楽を聞かせるサービスが存在する。このサービスは発信側携帯端末のユーザが受話スピーカから出力される音を楽しむためのものである。
【０００３】
また、さらに、類似のサービスとして着信時に着信側携帯端末の表示部に文字列を表示するサービスを行なうものがある。これは、発信側携帯端末のユーザが自由にテキストメッセージを入力して、このテキストメッセージを着信側携帯端末の画面に表示するものである。そして、このように着信側携帯端末に着信音や動画像等のデータを配信する技術であって、広告のためのコンテンツデータを着信側携帯端末へ送信し、その広告のコンテンツを視聴させる代わりに、サーバ側が、着信側携帯端末のユーザの所望する着信音のデータを無料で提供する技術が特許文献１に開示されている。
【先行技術文献】
【特許文献】
【０００４】
【特許文献１】特開２００８−１８１５１２号公報
【発明の概要】
【発明が解決しようとする課題】
【０００５】
上述の特許文献１に開示されているような広告のデータを配信する技術は、広告コンテンツである映像を、呼の着信側携帯端末の画面に表示させるものであるが、広告データの着信側携帯端末の配信による広告効果を増大できる技術が望まれている。
【０００６】
そこでこの発明は、広告のデータを着信側携帯端末に配信することによる広告効果を増大できるコマーシャルメッセージ音配信システム、コマーシャルメッセージ音配信サーバ、コマーシャルメッセージ音配信方法、ならびにプログラムを提供することを目的としている。
【課題を解決するための手段】
【０００７】
上記目的を達成するために、本発明は、コマーシャルメッセージ音配信サーバが、着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録する配信コマーシャルメッセージ音登録部と、前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択するコマーシャルメッセージ音選択部と、前記発信側携帯端末から発信された発信呼信号に、前記選択したコマーシャルメッセージ音の識別情報を付加して前記着信側携帯端末へ送信する呼制御部と、前記着信側携帯端末から受信したコマーシャルメッセージ音の識別情報によって特定できるコマーシャルメッセージ音を配信するコマーシャルメッセージ音配信部と、を備え、前記着信側携帯端末が、前記発信側携帯端末からの前記発信呼信号に前記コマーシャルメッセージ音の識別情報が付加されているかを判定するコマーシャルメッセージ音付加有無判定部と、前記発信呼信号に前記コマーシャルメッセージ音の識別情報が付加されていると判定された場合に、前記コマーシャルメッセージ音の識別情報を含むコマーシャルメッセージ音配信要求を送信するコマーシャルメッセージ音配信要求部と、前記コマーシャルメッセージ音配信要求の送信に応じて、前記コマーシャルメッセージ音配信サーバから受信したコマーシャルメッセージ音を鳴動させるコマーシャルメッセージ音鳴動部と、を備えることを特徴とするコマーシャルメッセージ音配信システムである。
【０００８】
また本発明は、着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録する配信コマーシャルメッセージ音登録部と、前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択するコマーシャルメッセージ音選択部と、前記発信側携帯端末から発信された発信呼信号に、前記選択したコマーシャルメッセージ音の識別情報を付加して前記着信側携帯端末へ送信する呼制御部と、前記着信側携帯端末から受信したコマーシャルメッセージ音の識別情報によって特定できるコマーシャルメッセージ音を配信するコマーシャルメッセージ音配信部と、を備えることを特徴とするコマーシャルメッセージ音配信サーバである。
【０００９】
また本発明は、コマーシャルメッセージ音配信サーバの配信コマーシャルメッセージ音登録部が、着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録し、前記コマーシャルメッセージ音配信サーバのコマーシャルメッセージ音選択部が、前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択し、前記コマーシャルメッセージ音配信サーバの呼制御部が、前記発信側携帯端末から発信された発信呼信号に、前記選択したコマーシャルメッセージ音の識別情報を付加して前記着信側携帯端末へ送信し、前記着信側携帯端末のコマーシャルメッセージ音付加有無判定部が、前記発信側携帯端末からの前記発信呼信号に前記コマーシャルメッセージ音の識別情報が付加されているかを判定し、前記着信側携帯端末のコマーシャルメッセージ音配信要求部が、前記発信呼信号に前記コマーシャルメッセージ音の識別情報が付加されていると判定された場合に、前記コマーシャルメッセージ音の識別情報を含むコマーシャルメッセージ音配信要求を送信し、前記コマーシャルメッセージ音配信サーバのコマーシャルメッセージ音配信部が、前記着信側携帯端末から受信したコマーシャルメッセージ音の識別情報によって特定できるコマーシャルメッセージ音を配信し、前記着信側携帯端末のコマーシャルメッセージ音鳴動部が、前記コマーシャルメッセージ音配信要求の送信に応じて、前記コマーシャルメッセージ音配信サーバから受信したコマーシャルメッセージ音を鳴動させることを特徴とするコマーシャルメッセージ音配信方法である。
【００１０】
また本発明は、コマーシャルメッセージ音配信サーバのコマーシャルメッセージ音配信方法であって、配信コマーシャルメッセージ音登録部が、着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録し、コマーシャルメッセージ音選択部が、前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択し、呼制御部が、前記発信側携帯端末から発信された発信呼信号に、前記選択したコマーシャルメッセージ音の識別情報を付加して前記着信側携帯端末へ送信し、コマーシャルメッセージ音配信部が、前記着信側携帯端末から受信したコマーシャルメッセージ音の識別情報によって特定できるコマーシャルメッセージ音を配信することを特徴とするコマーシャルメッセージ音配信方法である。
【００１１】
また本発明は、コマーシャルメッセージ音配信サーバのコンピュータを、着信側携帯端末へ配信するコマーシャルメッセージ音の分類識別情報を、前記着信側携帯端末より受け付けて当該着信側携帯端末の識別情報に対応付けて配信コマーシャルメッセージ音記憶部へ登録する配信コマーシャルメッセージ音登録手段、前記着信側携帯端末への発信側携帯端末からの発信呼信号の検出に基づいて、前記着信側携帯端末の識別情報に対応して前記配信コマーシャルメッセージ音記憶部に登録されている分類識別情報を取得し、当該分類識別情報で示される分類に属する１つまたは複数のコマーシャルメッセージ音から、１つのコマーシャルメッセージ音を選択するコマーシャルメッセージ音選択手段、前記発信側携帯端末から発信された発信呼信号に、前記選択したコマーシャルメッセージ音の識別情報を付加して前記着信側携帯端末へ送信する呼制御手段、前記着信側携帯端末から受信したコマーシャルメッセージ音の識別情報によって特定できるコマーシャルメッセージ音を配信するコマーシャルメッセージ音配信手段、として機能させることを特徴とするプログラムである。
【発明の効果】
【００１２】
本発明によれば、着信音として着信側携帯端末のユーザの嗜好に合うＣＭ音を鳴動させることで、ユーザ本人、またユーザの周囲にいる人にＣＭ音が聞かれることとなり、ＣＭ音による広告効果を高めることができる。また、ＣＭ音配信サーバがＣＭ音を選択する際に優先度に応じてＣＭ音を選択することで、優先度の高いＣＭ音の配信率が高くなり、広告元が希望するＣＭ音の配信頻度に応じて、広告効果を高めることができる。
【図面の簡単な説明】
【００１３】
【図１】コマーシャルメッセージ音配信システムを図面を参照して説明する。
【図２】ＣＭ音情報記憶テーブルを示す図である。
【図３】ＣＭ音分類情報記憶テーブルを示す図である。
【図４】ＣＭ音配信システムの処理フローを示す図である。
【発明を実施するための形態】
【００１４】
以下、本発明の一実施形態によるコマーシャルメッセージ音配信システムを図面を参照して説明する。
図１は同実施形態によるコマーシャルメッセージ音配信システムの構成を示すブロック図である。
この図において、符号１はコマーシャルメッセージ音配信サーバ（以下、ＣＭ音配信サーバとする）、２は着信側携帯端末、３は基地局装置、４は発信側携帯端末、５は広告宣伝費計算サーバである。コマーシャルメッセージ音配信システム（以下、ＣＭ音配信システムとする）１０は、少なくともＣＭ音配信サーバ１、着信側携帯端末２が通信ネットワークを介して接続されることにより構成される。なお、ＣＭ音配信サーバ１は基地局装置３、広告宣伝費計算サーバ５と有線の通信ネットワークを介して接続されており、また着信側携帯端末２は、基地局装置３と無線の通信ネットワークを介して接続されている。
そして、ＣＭ音配信サーバ１は、発信側携帯端末４からの呼信号を、基地局装置３を介して受信して、着信側携帯端末２へ他の基地局装置３を介して転送するとともに、当該着信側携帯端末２へ基地局装置３を介してＣＭ音のデータを配信する処理を行なう。広告宣伝費計算サーバ５は、着信側携帯端末２へのＣＭ音の配信回数等に基づいて、ＣＭ音により広告を行なう広告元企業への課金金額を計算する処理を行なう。
【００１５】
そして、本実施形態のＣＭ音配信システム１０において、ＣＭ音配信サーバ１は、着信側携帯端末２へ配信するコマーシャルメッセージ音（以下、ＣＭ音とする）の分類識別番号（分類識別情報）を、着信側携帯端末２より受け付けて当該着信側携帯端末２の識別情報（着信側携帯端末ＩＤ）に対応付けて登録する。またＣＭ音配信サーバ１は、着信側携帯端末２への発信側携帯端末４からの発信呼信号の検出に基づいて、着信側携帯端末２のＩＤに対応付けられて登録されている分類識別番号を取得し、当該分類識別番号で示される分類に属する１つまたは複数のＣＭ音から、１つのＣＭ音を選択する。そして、ＣＭ音配信サーバ１は、発信側携帯端末４から発信された発信呼信号に、選択したＣＭ音の番号を付加して着信側携帯端末２へ送信し、その着信側携帯端末２から受信したＣＭ音の番号によって特定できるＣＭ音を配信する。
またＣＭ音配信システム１０において、着信側携帯端末２は、発信側携帯端末４からの発信呼信号にＣＭ音の番号が付加されているかを判定し、付加されていると判定された場合に、ＣＭ音の番号を含むＣＭ音配信要求を送信する。そして着信側携帯端末２は、ＣＭ音配信要求の送信に応じて、ＣＭ音配信サーバ１から受信したＣＭ音を鳴動させる。
このような処理により、広告データの着信側携帯端末２の配信による広告効果を増大できるＣＭ音配信システム１０を提供する。
【００１６】
また図１より、ＣＭ音配信サーバ１は、呼制御部１１、通信部１２、配信ＣＭ音登録部１３、配信ＣＭ音記憶部１４、ＣＭ音選択部１５、ＣＭ音配信部１６、広告宣伝費計算要求部１７の各処理部を備えている。
また図１より、着信側携帯端末２は、通信部２１、発着信処理部２２、分類識別情報登録受付部２３、登録要求送信部２４、ＣＭ音配信要求部２５、ＣＭ音付加有無判定部２６、ＣＭ音鳴動部２７、鳴動有無登録受付部２８、鳴動中止部２９の各処理部を備えている。
このようなＣＭ音配信サーバ１と、着信側携帯端末２を有する、ＣＭ音配信システム１０の処理について以下に説明する。
【００１７】
図２はＣＭ音情報記憶テーブルを示す図である。
図３はＣＭ音分類情報記憶テーブルを示す図である。
図４はＣＭ音配信システムの処理フローを示す図である。
図２で示すＣＭ音情報記憶テーブルは、配信ＣＭ音記憶部１４に記録された情報であり、当該図で示すように、ＣＭ音の分類を示す分類識別番号、その分類識別番号で示される分類の名称（以下、分類名称）、その分類識別番号の分類に属するＣＭ音の番号（以下、ＣＭ音番号）、そのＣＭ音番号のＣＭ音の広告元である企業等の広告元名、ＣＭ音のタイトル等のテキスト情報、ＣＭ音格納先を示す情報、を対応付けて記憶するテーブルである。
また図３で示すＣＭ音分類情報記憶テーブル（図３）は、配信ＣＭ音記憶部１４に記録された情報であり、着信側携帯端末ＩＤと、そのＩＤの着信側携帯端末２が登録した分類識別番号と、分類名称と、を対応付けて記憶するテーブルである。
【００１８】
そして、図３より、ＣＭ音配信システム１０において、まず着信側携帯端末２の分類識別情報登録受付部２３が、ユーザによる操作キーの操作に基づいて、着信時に鳴動再生させてよいＣＭ音の分類識別番号を入力する（ステップＳ１０１）。このとき、分類識別情報登録受付部２３は、「１」の分類識別番号を入力したものとする。そして、登録要求送信部２４は、入力された分類識別番号を格納する登録要求の送信を、通信部２１に指示し、当該通信部２１が登録要求をＣＭ音配信サーバ１へ送信する（ステップＳ１０２）。登録要求は基地局装置３を介してＣＭ音配信サーバ１の通信部１２が受信し、配信ＣＭ音登録部１３が、その登録要求を取得して、当該登録要求を受信した通信メッセージから送信したＭＡＣアドレス等の着信側携帯端末ＩＤを検出する。例えば着信側携帯端末ＩＤが「ｘｘｘｘｘｘｘｘｘｘｘ」であったものとする。そして配信ＣＭ音登録部１３は、登録要求に格納されている分類識別番号「１」と、その分類識別番号「１」によって予め設定される分類名称「電気店」と、検出した着信側携帯端末ＩＤ「ｘｘｘｘｘｘｘｘｘｘｘ」とを対応付けて、配信ＣＭ音記憶部１４に格納されているＣＭ音分類情報記憶テーブル（図３）に登録する（ステップＳ１０３）。
【００１９】
このように、ＣＭ音分類情報記憶テーブル（図３）に情報が登録された状態になると、呼制御部１１は、配信ＣＭ音記憶部１４のＣＭ音分類情報記憶テーブル（図３）に登録されている全ての着信側携帯端末ＩＤを読み取り、当該着信側携帯端末２へ発信された発信側携帯端末４からの呼信号があるかを判定する（ステップＳ１０４）。そして、呼制御部１１は、ＣＭ音分類情報記憶テーブル（図３）に登録されている着信側携帯端末ＩＤ「ｘｘｘｘｘｘｘｘｘｘｘ」の着信側携帯端末２へ発信された、発信側携帯端末４からの呼信号を検出すると、ＣＭ音選択部１５へＣＭ音を選択するよう指示するＣＭ音選択指示信号を出力する。このＣＭ音選択指示信号には呼信号が示す着信側携帯端末２のＩＤ「ｘｘｘｘｘｘｘｘｘｘｘ」が格納される。なお、ステップＳ１０４において、呼制御部１１は、ＣＭ音分類情報記憶テーブル（図３）に登録されている着信側携帯端末ＩＤの着信側携帯端末２に対して発信された呼信号があると検出するまで、当該ステップＳ１０４の呼信号の有無の判定を繰り返す。
【００２０】
次に、ステップＳ１０４においてＹｅｓの場合、ＣＭ音選択部１５は、指示信号に格納される着信側携帯端末ＩＤ「ｘｘｘｘｘｘｘｘｘｘｘ」を検出し、その着信側携帯端末ＩＤ「ｘｘｘｘｘｘｘｘｘｘｘ」に対応付けられてＣＭ音分類情報記憶テーブル（図３）に格納されている分類識別番号「１」を読み取る（ステップＳ１０５）。そしてＣＭ音選択部１５は、その読み取った分類識別番号「１」に対応付けられてＣＭ音情報記憶テーブル（図２）に格納されている１つ又は複数のＣＭ音番号「１２３４５６」，「１２５８８５」を読み取り、その中から１つのＣＭ音番号を選択する（ステップＳ１０６）。このとき、複数のＣＭ音番号を読み取ることができる場合には、ランダムに１つのＣＭ音番号を選択するようにしてもよい。または、何らかの優先度をＣＭ音番号ごとに割り当てておき、その優先度（例えば広告費を多く支払った広告元に対しては大きな優先度を付与する）を重み付け値として、各ＣＭ音番号の選択確率を変化させて、当該選択確率によってＣＭ音番号を選択するようにしてもよい。今、ＣＭ音選択部１５がＣＭ音番号「１２３４５６」を選択したものとする。そして、ＣＭ音選択部１５は、選択したＣＭ音番号「１２３４５６」を呼制御部１１へ通知する。そして、呼制御部１１は、発信側携帯端末４から着信側携帯端末２へ送信された呼信号に、ＣＭ音選択部１５から取得したＣＭ音番号「１２３４５６」を格納して、着信側携帯端末２へ転送する（ステップＳ１０７）。そして、この呼信号を着信側携帯端末２が受信する。
【００２１】
次に着信側携帯端末２では、発着信処理部２２が、着信した呼信号をＣＭ音付加有無判定部２６へ出力する。そしてＣＭ音付加有無判定部２６は、着信した呼信号にＣＭ音番号が付加されているか否かを判定する（ステップＳ１０８）。着信した呼信号にＣＭ音番号が付加されている場合、着信側携帯端末２のＣＭ音配信要求部２５が通信部２１に、そのＣＭ音番号「１２３４５６」を格納したＣＭ音配信要求の送信を指示し、通信部２１がＣＭ音配信サーバ１へＣＭ音配信要求を送信する（ステップＳ１０９）。ＣＭ音配信サーバ１においては、ＣＭ音配信部１６が通信部１２を介してＣＭ音配信要求を取得し、そのＣＭ音配信要求に格納されているＣＭ音番号「１２３４５６」を検出する。そして、ＣＭ音配信部１６は、配信ＣＭ音記憶部１４に記録されているＣＭ音情報記憶テーブルから、ＣＭ音番号「１２３４５６」に対応するＣＭ音「フクダ電気イメージソング」の格納先情報「http://aaa.com/xx/xx.3gp」を読み取り、当該格納先情報で示される格納先からＣＭ音番号に対応するＣＭ音データを読み取る。そして、ＣＭ音配信部１６は読み取ったＣＭ音データを、ストリーミング技術を用いて着信側携帯端末２へ配信する（ステップＳ１１０）。
【００２２】
着信側携帯端末２のＣＭ音配信要求部２５は、ストリーミングによりＣＭ音データを受信し（ステップＳ１１１）、ＣＭ音データをＣＭ音鳴動部２７へ出力する。するとＣＭ音鳴動部２７が、ＣＭ音データを再生し着信側携帯端末２のスピーカにＣＭ音を鳴動させる処理を行なう（ステップＳ１１２）。そして、ＣＭ音の鳴動後、ユーザの操作によって着信側携帯端末２に着信した呼信号による通話開始が指示され、発着信処理部２２が通話信号を発信側携帯端末４との間で送受信する処理を開始する。なお、ステップＳ１０８において、着信した呼信号にＣＭ音が吹かされていない場合には、例えば予め着信側携帯端末２に設定されている着信音の鳴動処理を行なう（ステップＳ１１３）。
【００２３】
以上の処理によれば、着信側携帯端末２のユーザが、予め着信時に鳴動再生させてもよいと思うＣＭ音の分類をＣＭ音配信サーバ１に登録しておき、着信があった際には、着信側携帯端末２のユーザの嗜好に合致するＣＭ音のデータをＣＭ音配信サーバ１からストリーミングにより受信して着信側携帯端末２でそのＣＭ音を再生出力するシステムを実現している。
したがって、着信音として着信側携帯端末２のユーザの嗜好に合うＣＭ音を鳴動させることで、ユーザ本人、またユーザの周囲にいる人にＣＭ音が聞かれることとなり、ＣＭ音による広告効果を高めることができる。また、ＣＭ音配信サーバ１がＣＭ音を選択する際に優先度に応じてＣＭ音を選択することで、優先度の高いＣＭ音の配信率が高くなり、広告元が希望するＣＭ音の配信頻度に応じて、広告効果を高めることができる。
さらに、ＣＭ音配信サーバ１において着信側携帯端末２に配信するＣＭ音がランダムに決定されるため、着信側携帯端末２のユーザには次の着信時に鳴動するＣＭ音がわからない。これにより、どのようなＣＭ音が次に鳴動するのかを期待することによる娯楽性をユーザに与えることができる。
また、着信側携帯端末２にＣＭ音を鳴動させることで、その周囲にいる人にＣＭ音を聞いてもらうことのできる効果があることから、広告元が配信するＣＭのイメージを世間に広める媒体を増加させることができる。そして、ＣＭ音の配信料の一部を通話料の軽減に利用する等のサービスを行ない、携帯電話等の携帯端末を利用したサービスの一層の拡大を図ることが可能となる。
【００２４】
上述の処理以外にも、ＣＭ音配信システム１０では、広告元へのＣＭ音配信の対価を課金することにより、ＣＭ音の配信を受けた着信側携帯端末２を利用するユーザの通話料金の一部を、当該広告元の企業等が負担する等のサービスを提供することが可能となる。この場合、例えば、広告宣伝費計算要求部１７が、ＣＭ音番号の呼信号に付加された回数を検出し、その回数を広告宣伝費計算サーバ５に送信する。これにより、広告宣伝費計算サーバ５が、広告元に要求する費用を計算するようにしてもよい。
また、これ以外にも、着信側携帯端末２が、ＣＭ音を再生出力しないよう設定することができる機能を備えるようにしてもよい。この場合、着信側携帯端末２の鳴動有無登録受付部２８がユーザより、鳴動有無の登録を受け付ける。そして、鳴動無しの登録を受け付けた場合には鳴動中止部２９のメモリ等に鳴動無しのフラグ情報を登録する。そして、ＣＭ音鳴動部２７はＣＭ音を再生出力する際に、鳴動中止部２９に設定されているフラグ情報を読み取り、その情報が、鳴動無しを示すフラグ情報である場合には、ＣＭ音の再生を中止する処理を行なう。
【００２５】
なお、上述のＣＭ音配信サーバ１や着信側携帯端末２、基地局装置３、発信側携帯端末４、広告宣伝費計算サーバ５は、内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２７】
１・・・ＣＭ音配信サーバ
２・・・着信側携帯端末
３・・・基地局装置
４・・・発信側携帯端末
５・・・広告宣伝費計算サーバ
【図１】
2014171267.tif 000003
【図２】
2014171267.tif 000004
【図３】
2014171267.tif 000005
【図４】
2014171267.tif 000006